(57)【要約】  【課題】隙間違いに柔軟に対応することができ、最小限の部品点数で安価に構成できて、着脱も容易であり、パネルの外観も毀損しないようにした、新たな構造の隙間閉塞部材及びその取付構造を提供する。  【解決手段】２枚のデスクトップパネル２，２の縁部２ａ、２ａ間に生じる隙間δを塞ぐにあたり、本体部５１を前記隙間δに弾性変形させつつ挿入することによって、それ自体の弾性復元力でデスクトップパネル２の縁部２ａに保持されるように構成した。  【選択図】図２
2010115332.tif 000002
【特許請求の範囲】
【請求項１】
２枚のパネルの縁部間に生じる隙間を塞ぐために利用されるものであって、少なくとも一部を前記隙間に弾性変形させつつ挿入することによって、それ自体の弾性復元力でパネルの縁部に保持されるように構成したことを特徴とする隙間閉塞部材。
【請求項２】
パネル間の隙間に臨む側を平断面凸状に湾曲ないし屈曲させながら前記隙間に挿入される本体部と、この本体部の凹となる側の開口端より外向きに離れる方向に延びてパネルの縁部に突き当てられる一対の係止片とを具備する請求項１記載の隙間閉塞部材。
【請求項３】
本体部の凸となる部位の外面に外向きに離れる方向に延びる一対の補助係止片を設けている請求項２記載の隙間閉塞部材。
【請求項４】
本体部が、外力を加えない状態で所定の凸状に湾曲させてあり、凹となる側の開口幅が弾性変形によって幅狭となるように構成している請求項２又は３何れかに記載の隙間閉塞部材。
【請求項５】
パネル間の隙間に臨む側を平断面凹状に湾曲ないし屈曲させながら一部に設けた突片を前記隙間に挿入される本体部と、この本体部から外向きに離れる方向に延びてパネルの縁部に突き当てられる一対の係止片とを具備する請求項１記載の隙間閉塞部材。
【請求項６】
本体部の突片に外向きに離れる方向に延びる補助突出片を更に設けている請求項５記載の隙間閉塞部材。
【請求項７】
押し出し成形によって等断面形状を有する請求項１〜６何れかに記載の隙間閉塞部材。
【請求項８】
請求項１〜７何れかに記載の隙間閉塞部材を取り付けるための構造であって、パネル間の隙間の上方にパネル間を連結する連結部材が位置しており、隙間閉塞部材が挿入方向と逆方向に位置ずれすることを規制する規制部を当該隙間閉塞部材と連結部材との間に構成していることを特徴とする隙間閉塞部材の取付構造。
【請求項９】
請求項１〜７何れかに記載の隙間閉塞部材を取り付けるための構造であって、パネル間の隙間の下方に空隙が存在しており、隙間閉塞部材が空隙方向に位置ずれすることを規制する規制部を当該隙間閉塞部材とパネル若しくはパネル周辺部との間に構成していることを特徴とする隙間閉塞部材の取付構造。
【発明の詳細な説明】
【技術分野】
【０００１】
本発明は、パネル間に生じる種々の隙間に適合する隙間閉塞部材およびその取付構造に関するものである。
【背景技術】
【０００２】
パネル間に隙間が生じる例として、特許文献１に示すパネル付きテーブルを挙げることができる。
【０００３】
このものは、テーブルの角部を挟む両側部に、上下方向を向く２枚のパネルを、それぞれが天板の側端面より若干離間するとともに、両パネル間に隙間が形成されるようにして取り付け、かつ前記両パネル間の隙間を塞ぎ材により閉塞するように構成されている。
【０００４】
両パネルの隣接する側端部の内面には、雌ねじ孔を設けるとともに、塞ぎ材の両側部に各雌ねじ孔と対向する取付孔が設けてあり、前記取付孔に挿通したねじを前記雌ねじ孔に螺合することにより、塞ぎ材を両パネルに取り付けるようにしている。
【０００５】
その際、各パネルの内面に複数の雌ねじ孔を上下方向に所定間隔おきに列設し、これらの適宜の雌ねじ孔をテーブルへのパネルの取り付けと、塞ぎ材の取り付けとに使用するようにしており、塞ぎ材は、両パネルの内面に取り付けられるブラケットと、該ブラケットの外面と両パネルの内面との間に挿入され、前記ブラケットにねじ止めされる目隠し材とから構成されている。
【特許文献１】特開２００２−２５３３５３号公報
【発明の開示】
【発明が解決しようとする課題】
【０００６】
ところが、デスクの種類によっては、直角以外の角部を有する異形天板を用いる場合があり、また、レイアウトによっては、隣接するパネル同士の位置が変化する場合がある。このようなケースでは、パネル間の隙間寸法や隙間の形状、向き等も変化し得る。さらに、加工誤差や組み付け誤差によっても、パネル間の隙間に変化が生じる可能性がある。
【０００７】
ところが、上記特許文献１のような隙間塞ぎ部材であると、隙間や隙間塞ぎ部材の大きさが予定した関係になければならず、雌ねじ孔の位置も合致していなければならないため、隙間が異なる場合には都度寸法違いのブラケットや目隠し材を用意する必要があるという不便さがある。しかも、ブラケットやパネルには隙間塞ぎ部材を取り付けた状態でも雌ねじ孔が露出し、隙間塞ぎ部材を利用しないときには更に隙間塞ぎ部材を取り除いた位置に雌ねじ孔が露出するため、パネルの外観を著しく低下させる要因になるという問題がある。もちろん、部品点数が多くなるほどコストや作業工数が嵩むことになるのは言うまでもない。
【０００８】
本発明は、このような課題に着目してなされたものであって、隙間違いや隙間の変動等に柔軟に対応することができ、最小限の部品点数で安価に構成できて、着脱も容易であり、パネルの外観も毀損しないようにした、新たな構造の隙間閉塞部材及びその取付構造を提供することを目的としている。
【課題を解決するための手段】
【０００９】
本発明は、かかる目的を達成するために、次のような手段を講じたものである。
【００１０】
すなわち、本発明の隙間閉塞部材は、２枚のパネルの縁部間に生じる隙間を塞ぐために利用されるものであって、少なくとも一部を前記隙間に弾性変形させつつ挿入することによって、それ自体の弾性復元力でパネルの縁部に保持されるように構成したことを特徴とする。
【００１１】
このような構成であれば、隙間の大きさや形状、向き等が多少異なっても、弾性変形しながらこれに対応するため、レイアウト違いや組み付け誤差などに有効に対応することができる。しかも、隙間閉塞部材を取り付けるためのブラケットやねじ等の要素部品は不要であり、最小限の部品点数で安価にパネル間の隙間を塞ぐことができる。その上、パネルや隙間閉塞部材にねじ孔を開ける必要が一切ないので、隙間閉塞部材の使用時は勿論のこと、不使用時にもパネルの良好な外観を保つことができる。
【００１２】
パネル間が１８０度以下の角度で交叉している場所に適用して有用となる構成としては、パネル間の隙間に臨む側を平断面凸状に湾曲ないし屈曲させながら前記隙間に挿入される本体部と、この本体部の凹となる側の開口端より外向きに離れる方向に延びてパネルの縁部に突き当てられる一対の係止片とを具備するものが挙げられる。
【００１３】
より安定した取付状態を得るためには、本体部の凸となる部位の外面に外向きに離れる方向に延びる一対の補助係止片を設けていることが望ましい。
【００１４】
装着作業の便を向上させるためには、本体部が、外力を加えない状態で所定の凸状に湾曲させてあり、凹となる側の開口幅が弾性変形によって幅狭となるように構成していることが好ましい。
【００１５】
パネル間が１８０度以上の角度で交叉している場所に適用して有用となる構成としては、パネル間の隙間に臨む側を平断面凹状に湾曲ないし屈曲させながら一部に設けた突片を前記隙間に挿入される本体部と、この本体部から外向きに離れる方向に延びてパネルの縁部に突き当てられる一対の係止片とを具備するものが挙げられる。
【００１６】
この場合も、より安定した取付状態を得るためには、本体部の突片に外向きに離れる方向に延びる補助突出片を更に設けていることが望ましい。
【００１７】
パネルの長さ違い等に有効に対応するためには、隙間閉塞部材を押し出し成形による断面形状としておくことが効果的である。
【００１８】
以上の隙間閉塞部材をより適切に取り付けるための取付構造としては、パネル間の隙間の上方にパネル間を連結する連結部材が位置する場合に、隙間閉塞部材が挿入方向と逆方向に位置ずれすることを規制する規制部を当該隙間閉塞部材と連結部材との間に構成することが有効となる。
【００１９】
以上の隙間閉塞部材をより適切に取り付けるための他の取付構造としては、パネル間の隙間の下方に空隙が存在している場合に、隙間閉塞部材が空隙方向に位置ずれすることを規制する規制部を当該隙間閉塞部材とパネル若しくはパネル周辺部との間に構成することが有効となる。
【発明の効果】
【００２０】
本発明は、以上説明した構成であるから、隙間違いや隙間の変動に柔軟に対応することができ、最小限の部品点数で安価に構成できて、着脱も容易であり、パネルの外観も毀損しないようにした、新規有用な隙間閉塞部材を提供することが可能となる。
【発明を実施するための最良の形態】
【００２１】
以下、本発明の一実施形態を、図面を参照して説明する。
【００２２】
この実施形態の隙間閉塞部材は、図１に示すような異形天板１の反使用縁１ｂ側に起立する２枚のデスクトップパネル２，２間の隙間δに適用される。反使用縁１ｂとは、着座者から遠い側の天板１の縁部を指し、着座者に近い使用縁１ａと対向する。
【００２３】
異形天板１は、角部１ｃがほぼ１２０°程度に屈曲した形状のもので、この異形天板１の反使用縁１ｂから後方へ所定位置離間した位置に幕板を兼ねるパネル構造体３が配置してあり、デスクトップパネル２はこのパネル構造体３の上端部にブラケット４１を介して取り付けられている。ブラケット４１は、図６に示すように、下端部４１ａ側をパネル構造体３に設けたスリット３１に差し込み、上端部４１ｂ側をデスクトップパネル２に設けた図示しないスリットに差し込んで、両者の間を連結するものである。この実施形態のデスクトップパネル２は、図１に示すように、パネル構造体３よりも若干浮いた状態に保持されており、パネル構造体３とデスクトップパネル２との間隙にブラケット４１が表出することを防止するカバー４２（図５参照）が配されている。このように、異形天板１の後方へ離間させてパネル構造体３を配置し、或いはパネル構造体３の上に持ち上げた状態でデスクトップパネル２を配置することで、適宜部位に配線挿通隙間が確保されている。
【００２４】
図１に示すように、デスクトップパネル２は、天板１の幅寸法にほぼ対応する幅寸法のもので、このデスクトップパネル２の上フレーム２０に連続する位置にコーナーブロック２２が組み付けてある。このコーナーブロック２２に付帯するカバー２２ａを外した図２のブロック本体２２ｂに対して、上方からパネル連結部材４３を落とし込んで図４に示すように当該ブロック本体２２ｂ内に装着することで、パネル連結部材４３を介してデスクトップパネル２，２間を連結し、連結後に再びカバー２２ａを装着してパネル連結部材４３を閉止するようにしている。パネル連結部材４３は、図２に示すように、異形天板１の角部１ｃの角度に応じた角度で屈曲するもので、コーナーブロック２２の内部に設けたリブ２２ａに係り合わせた状態で嵌め込まれ、ねじ等を使用することなくその位置を保持することができるものである。パネル連結部材４３には、前記リブ２２ａに係合する突片４３ａを有しているほか、デスクトップパネル２，２間の隙間δに図４のように現われる連結部分４３ｂの前縁にリブを兼ねた下向き爪４３ｃが設けてある。
【００２５】
このように構成されるデスクは、デスクトップパネル２が異形天板１の反使用縁１ｂよりも後方に位置しているため、図１に示したようにデスクトップパネル２の側縁部２ａ、２ａ間に隙間δが生じるものであり、見栄えを損なう原因となる。
【００２６】
そこで本実施形態は、その隙間δを図２に示す隙間閉塞部材５によって閉塞するようにしている。
【００２７】
この隙間閉塞部材５は、押し出し成形によって構成される樹脂製のもので、横断面が均等な概略ハット状をなしている。具体的には、デスクトップパネル２の側縁部２ａ、２ａ間の隙間δに向かって平断面凸状（逆Ｕ字状）に湾曲ないし屈曲しながら挿入される本体部５１と、この本体部５１の凹となる側の開口端より外向きに離れる方向に延びてデスクトップパネル２の側縁部２ａのパネル面に突き当てられる一対の係止片５２とを具備している。本体部５１は、外力を加えない状態で所定の凸状に湾曲しており、凹となる側の開口幅Ｗが幅狭となる方向に弾性変形するように構成されている。凸の大きさや寸法は、予想されるレイアウト変更や組み付け誤差等により生じ得る隙間δよりも幅広に設けてある。
【００２８】
この隙間閉塞部材５を装着するには、図３に示すように、デスクトップパネル２の厚み方向に沿って正面側から当該隙間閉塞部材５を近づけ、凸状の本体部５１を隙間δに向かって押し込む。凸の形状は予定される隙間δよりも幅広にしてあり、本体部５１は凸形状をすぼめながら、換言すれば開口幅Ｗを狭めながら、隙間δに弾性的に挿入される。その結果、同図（ｂ）に示すように、係止片５２がデスクトップパネル２の側縁部２ａのパネル面に係合する。隙間閉塞部材５を挿入した後、上方から図２→図４に示すようにパネル連結部材４３を装着すれば、下向き爪４３ｃは隙間閉塞部材５の本体部５１の凹となる側すなわち開口側に差し込まれる。勿論、先にパネル連結部材４３を装着しておき、隙間閉塞部材５を若干斜めに傾けて先に上端部５ａをパネル連結部材４３の下向き爪４３ｃの内側に潜り込ませ、しかる後、そこを中心に下端側を回転させながら本体部５１を隙間δに押し込むように操作することもできる。
【００２９】
隙間閉塞部材５の装着が完了すると、正面からも背面からもデスクトップパネル２，２間に生じていた見苦しい隙間δは解消される。この状態において、隙間閉塞部材５の上端部５ａとパネル連結部材４３の爪４３ｃとは、隙間閉塞部材５１が挿入方向と逆方向に離脱することを規制する規制部Ｘを構成する。
【００３０】
また、隙間閉塞部材５の上端部５ａをパネル連結部材４３の爪４３ｃに係り合わせた状態で、図５に示すように、デスクトップパネル２，２間の隙間δの下方に連続する位置には空隙Ｓが存在している。この空隙は、デスクトップパネル２の下に存するカバー４２の高さに略対応している。そこで、隙間閉塞部材５を、デスクトップパネル２の高さ寸法よりも若干長尺なものにして、下端部５ｂを左右のカバー４２の間に垂下させ、パネル構造体３の上端部３ａに突き当てて、隙間閉塞部材５が空隙Ｓ方向に位置ずれすることを規制する規制部Ｙを当該隙間閉塞部材５とカバー４２との間に構成している。
【００３１】
以上のように、この実施形態の隙間閉塞部材５は、２枚のデスクトップパネル２，２の縁部２ａ、２ａ間に生じる隙間δを塞ぐにあたり、本体部５１を前記隙間δに弾性変形させつつ挿入することによって、それ自体の弾性復元力でデスクトップパネル２の縁部２ａに保持されるように構成したので、隙間δの大きさや形状、向き等が多少異なっても、弾性変形しながらこれに対応することができる。このため、組み付け誤差やレイアウト変更等に有効に対応することができる。しかも、隙間閉塞部材５を取り付けるためのブラケットやねじ等の要素部品は不要であるため、最小限の部品点数で安価にデスクトップパネル間の隙間を塞ぐことができる。その上、デスクトップパネル２や隙間閉塞部材５にねじ孔を開ける必要が一切ないので、隙間閉塞部材５の使用時は勿論のこと、不使用時にもデスクトップパネル２の良好な外観を保つことができる。
【００３２】
具体的にこの隙間閉塞部材５は、デスクトップパネル２，２間の隙間δに臨む側を平断面凸状に湾曲させながら前記隙間δに挿入される本体部５１と、この本体部５１の凹となる側の開口端より外向きに離れる方向に延びてデスクトップパネル２の縁部２ａに突き当てられる一対の係止片５２，５２とを具備しており、係止片５２がデスクトップパネル２の縁部２ａに突き当たる位置まで本体部５１を押し込むだけで装着を完了することができるので、取り扱いに極めて便利となる。そして、このような隙間閉塞部材５の形状は、特にデスクトップパネル間が１８０度以下の角度で交叉していて、平行ないしハの字状をなしている隙間δに対して、装着が簡単であり、定着状態も良好なものとなる。
【００３３】
さらに、本体部５１が、外力を加えない状態で所定の凸状に湾曲させてあり、凹となる側の開口幅Ｗが弾性変形によって幅狭となるように構成していて、本体部５１は主として開口幅Ｗ方向に変形を引き起こすので、装着や定着がより簡単、確実であり、隙間δの変化にもより適切に対応することができるものとなる。
【００３４】
また、この実施形態では、デスクトップパネル２，２間の隙間δの上方にデスクトップパネル２，２間を連結するパネル連結部材４３が位置していることを利用して、隙間閉塞部材５が挿入方向と逆方向に位置ずれすることを規制する規制部Ｘを当該隙間閉塞部材５とパネル連結部材４３との間に構成しているので、簡単な着脱構造であっても、デスクトップパネル２の構造を利用して隙間閉塞部材５を所定位置に確実に取り付けた状態を維持することができる。
【００３５】
同様にデスクトップパネル２，２間の隙間δの下方に空隙Ｓが存在していることに対しては、隙間閉塞部材５が空隙Ｓの方向に位置ずれすることを規制する規制部Ｙを当該隙間閉塞部材５とデスクトップパネル２の下方に位置するパネル構造体３の上端部３ａとの間に構成しているので、簡単な着脱構造であっても、デスクトップパネル２の構造を利用して隙間閉塞部材５を所定位置に確実に取り付けた状態を維持することができる。
【００３６】
また、隙間閉塞部材５は、押し出し成形によって作られており、等断面形状を有していて、適宜の部位で切断して使用することができるので、長さ調整を自由に行うことができ、デスクトップパネルの高さ違い等にも有効に対応することが可能になる。
【００３７】
ところで、図１１はこの隙間閉塞部材５の他の適用例を模式的な平面で示している。同図（ａ）に示すレイアウトは、デスク１０１、１０１同士を直交配置し、各々のデスク１０１に前記と同様のデスクトップパネル２が取付けられているもので、デスクトップパネル２，２間を塞ぐ位置に隙間閉塞部材５が適用される。一方、同図（ｂ）は一方のデスク１０１に更にサイドパネル１１０が取付けられる場合を示しており、この場合に他方のデスクトップパネルが同図（ａ）の位置にあると、サイドパネル１１０との位置がずれて見栄えを損ねる。そこで、同図（ｂ）に示すようにデスクトップパネル２を図中矢印で示す方向に持ち出すことが行われる。このような場合には、同図（ａ）、（ｂ）でデスクトップパネル２，２間の隙間δの寸法や形状、開口方向等が変化することになるが、本実施形態の隙間閉塞部材５を用いれば、このような隙間δの変化にも柔軟に対応することができる。
【００３８】
なお、図１２はデスクトップパネル２を持ち出す構造を例示している。既に図６に示したように、デスクトップパネル２はブラケット４１を介してパネル構造体３に取り付けられている点は述べたが、このブラケット４１は上下方向の中間部に屈曲部４１ｃを有し、この屈曲部４１ｃを境にして下端部４１ａ側と上端部４１ｂ側が厚み方向に変位している。このため、図１２に示すように屈曲方向を逆にしてブラケットの下端部４１ａをパネル構造体３に差し込めば、上端部４１ｂがパネル構造体３の外側に持ち出され、図１１（ａ）→（ｂ）に示したようなデスクトップパネル２の持ち出しを実現することができる。図１および図５に示したようにデスクトップパネル２がパネル構造体３から持ち上がっているのはこの屈曲部の存在によりデスクトップパネル２にもパネル構造体３にも差し込めないためで、カバー４２はその屈曲部を覆う位置に配されているものである。
【００３９】
以上、本発明の一実施形態について説明したが、各部の具体的な構成は、上述した実施形態のみに限定されるものではない。
【００４０】
例えば、図７（ａ）に示すように、本体部５１の凸となる部位の外面に外向きに離れる方向に延びる一対の補助係止片５１ａを設けてもよい。このような構造は、デスクトップパネル２の縁部２ａに沿ってその側端面２ｂに溝２ｃが存在するような場合に有効であり、かかる補助係止片５１ａを溝２ｃに係り合わせれば、隙間閉塞部材５のより安定した取付状態を得ることができる。この場合、同図（ｂ）に示すように、溝２ｃの下端部に突起２ｄを設け、補助係止片５１ａの下端部に切欠５１ｂを設ければ、隙間閉塞部材５が空隙Ｓ方向に位置ずれすることを規制する規制部Ｙ´を当該隙間閉塞部材５とデスクトップパネル２との間に構成することができて、隙間閉塞部材５の下端とデスクトップパネル２の下端とを有効に揃えることができる。
【００４１】
また、隙間閉塞部材として、例えば図８（ａ）に示すようにＶ字形に屈曲した本体部１５１を有するものや、同図（ｂ）に示すようにＷ形（Ｍ形）に屈曲した本体部２５１を有するもの等も採用することができる。
【００４２】
一方、隙間閉塞部材は必ずしも隙間側が凸となるように変形するものに限らず、図９に示すように隙間δ側が凹となるように変形する隙間閉塞部材３０５を利用することもできる。
【００４３】
この隙間閉塞部材３０５は、デスクトップパネル２，２間の隙間δに臨む側を平断面凹状に湾曲ないし屈曲させながら内面に設けた突片３０５ａを前記隙間δに挿入される本体部３５１と、この本体部３５１から外向きに離れる方向に延びてデスクトップパネル２の縁部２ａに突き当てられる一対の係止片３５２とを具備するものである。
【００４４】
このように構成しても、係止片３５２がデスクトップパネル２の縁部２ａに突き当たる位置まで突片３０５ａを押し込むだけで装着を完了することができるので、取り扱いが極めて簡便となる。そして、特に図示のようにデスクトップパネル間が１８０度以上の角度で逆ハの字状に開いて交叉している場所に適用して有用なものとなる。
【００４５】
この場合、図１０に示すように、本体部３５１の突片３０５ａに外向きに離れる方向に延びる補助突出片３０５ｂを更に設けることも有効である。すなわち、デスクトップパネル２の端面２ｂに縁部２ａに沿って溝２ｃが存在するような場合に、かかる補助係止片３０５ｂを溝２ｃに係り合わせれば、隙間閉塞部材３０５のより安定した取付状態を得ることができる。
【００４６】
さらにまた、図３に示す隙間閉塞部材５と、図９に示す隙間閉塞部材３０５とを同じ隙間に対して同時に適用することも可能である。
【００４７】
その他、デスクトップパネル以外のパネル間に生じる隙間、例えばローパーティションパネル間に隙間閉塞部材を適用するなど、その目的・用途等も、本発明の趣旨を逸脱しない範囲で種々変形が可能である。
【図面の簡単な説明】
【００４８】
【図１】本発明の一実施形態の適用対象となるデスクトップパネル間の隙間をデスクとともに示す斜視図。
【図２】同隙間への隙間閉塞部材の取付構造を示す分解斜視図。
【図３】同隙間閉塞部材の取付手順を示す模式図。
【図４】隙間閉塞部材の上端側における隙間への取付状態を示す斜視図。
【図５】隙間閉塞部材の下端側における隙間への取付状態を示す斜視図。
【図６】同実施形態で用いられるデスクトップパネルの取付構造を示す斜視図。
【図７】同実施形態の変形例を示す図。
【図８】同実施形態の他の変形例を示す図。
【図９】本発明の他の実施形態を示す図。
【図１０】図９の変形例を示す図。
【図１１】本発明の他の適用例を示す図。
【図１２】図６とともにデスクトップパネルの取付構造を示す斜視図。
【符号の説明】
【００４９】
５、３０５…隙間閉塞部材
４３…パネル連結部材
５１、１５１、２５１、３５１…本体部
５２、３５２…係止片
５１ａ、３０５ｂ…補助係止片
３０５ａ…突片
Ｘ、Ｙ，Ｙ´…規制部
Ｓ…空隙
δ…隙間
【図１】
2010115332.tif 000003
【図２】
2010115332.tif 000004
【図３】
2010115332.tif 000005
【図４】
2010115332.tif 000006
【図５】
2010115332.tif 000007
【図６】
2010115332.tif 000008
【図７】
2010115332.tif 000009
【図８】
2010115332.tif 000010
【図９】
2010115332.tif 000011
【図１０】
2010115332.tif 000012
【図１１】
2010115332.tif 000013
【図１２】
2010115332.tif 000014